(57)【要約】【課題】  ユーザの保有する光ディスクを管理する際におけるユーザの利便性を向上させる。【解決手段】  ラック番号とディスク識別情報が対応付けて格納されたディスク管理テーブルＴＢＬをレコーダＲに保有させる。レコーダＲは、光ディスクＤＫから読み出されたディスク識別情報が当該テーブルＴＢＬ内に格納済みか否かを判定すると共に当該ディスク識別情報が格納されていない場合には新規の光ディスクＤＫとして新たにラック番号と対応付けてディスク管理テーブルＴＢＬに格納する。そして、かかる手法により更新されたディスク管理テーブルＴＢＬに基づいてレコーダＲが（i）収納装置ＳＭから取り出すべき光ディスクＤＫ、或いは、（ii）収納装置ＳＭに収納すべき光ディスクＤＫ、に対応したラック番号を付加した制御信号を収納装置ＳＭに送信し、収納装置ＳＭは、この制御信号に基づいて当該光ディスクＤＫに対応する収納スペースＳ-ｋを報知する。【選択図】  図１
2006331548.tif 000002
【特許請求の範囲】
【請求項１】
可搬型記録媒体を収納するための収納スペースが複数設けられた収納装置において前記各収納スペースに収納された可搬型記録媒体を管理するための可搬型記録媒体管理装置であって、
前記各収納スペースを一意に特定するためのスペース識別情報と前記可搬型記録媒体を一意に特定するための媒体識別情報を対応付けて登録する登録手段と、
前記可搬型記録媒体から前記媒体識別情報を読み出すと共に当該媒体識別情報が前記登録手段に登録済みか否かを判定する判定手段と、
当該媒体識別情報が未登録であるものと判定された場合に、当該媒体識別情報を前記登録手段に未登録の前記スペース識別情報と対応付けて前記登録手段に登録させる管理手段と、
（i）前記収納装置から取り出すべき前記可搬型記録媒体、或いは、（ii）前記収納装置に収納すべき前記可搬型記録媒体、に対応した前記媒体識別情報と対応付けられた前記スペース識別情報を少なくとも含む制御信号を前記収納装置に送信し、当該可搬型記録媒体に対応する収納スペースを収納装置にて報知させる収納装置制御手段と、
を具備することを特徴とする可搬型記録媒体管理装置。
【請求項２】
前記判定手段は、前記媒体識別情報の読み出しと併せて前記可搬型記録媒体に記録されたコンテンツの属性を示すコンテンツ属性情報を読み出し、
前記管理手段は、前記コンテンツ属性情報を前記媒体識別情報と対応付けて前記登録手段に登録させることを特徴とする請求項１に記載の可搬型記録媒体管理装置。
【請求項３】
前記可搬型記録媒体に記録すべきコンテンツデータと共に、当該コンテンツデータの属性を示すコンテンツ属性情報を取得する取得手段と、
前記取得されたコンテンツデータを前記可搬型記録媒体に記録させる書込手段と、を更に備え、
前記管理手段は、前記コンテンツデータの記録時に当該コンテンツデータが記録される可搬型記録媒体に対応する媒体識別情報と対応付けて、当該取得されたコンテンツ属性情報を前記登録手段に登録させることを特徴とする請求項１に記載の可搬型記録媒体管理装置。
【請求項４】
前記登録手段に登録された媒体識別情報とコンテンツ属性情報に基づいて前記収納装置内に収納される前記可搬型記録媒体の一覧を表示させる表示制御手段を更に有し、
前記収納装置制御手段は、前記表示された一覧に従ってユーザが選択した可搬型記録媒体と対応付けられた前記スペース識別情報を含む前記制御信号により、当該スペース識別情報に対応する収納スペースを収納装置にて報知させることを特徴とする請求項２または３に記載の可搬型記録媒体管理装置。
【請求項５】
前記可搬型記録媒体の収納が検出された際に前記収納装置から送信される信号であって、当該収納が検出された収納スペースに対応したスペース識別情報を含む収納信号を受信する受信手段を更に備え、
前記管理手段は、前記受信された収納信号に基づいて前記登録手段に登録された情報を更新させることを特徴とする請求項１に記載の可搬型記録媒体管理装置。
【請求項６】
前記管理手段は、前記収納信号に含まれるスペース識別情報と対応付けて前記媒体識別情報が前記登録手段に登録済みか否かを判定し、未登録であるものと判定すると当該スペース識別情報と対応付けて未知の可搬型記録媒体が格納された旨を示す情報を前記登録手段に登録させることを特徴とする請求項５に記載の可搬型記録媒体管理装置。
【請求項７】
前記収納装置制御手段によって制御信号として送信されたスペース識別情報と、前記収納信号に含まれるスペース識別情報が一致するか否かを判定するスペース識別情報判定手段を更に有し、
前記管理手段は、両者が一致しないものと判定された場合に、前記制御信号として送信されたスペース識別情報と対応付けて登録されている媒体識別情報に対して、新たに当該収納信号に含まれるスペース識別情報を対応付けて前記登録手段に登録させることを特徴とする請求項５に記載の可搬型記録媒体管理装置。
【請求項８】
可搬型記録媒体を収納するための収納スペースが複数設けられた収納手段と、外部から供給される制御信号に基づいてユーザの所望する可搬型記録媒体に対応した前記収納スペースを報知する報知手段と、を備えた収納装置と、
前記各収納スペースを一意に特定するためのスペース識別情報と前記可搬型記録媒体を一意に特定するための媒体識別情報を対応付けて登録する登録手段と、前記可搬型記録媒体から前記媒体識別情報を読み出すと共に当該媒体識別情報が前記登録手段に登録済みか否かを判定する判定手段と、当該媒体識別情報が未登録であるものと判定された場合に当該媒体識別情報を前記登録手段に未登録の前記スペース識別情報と対応付けて前記登録手段に登録させる管理手段と、（i）前記収納装置から取り出すべき前記可搬型記録媒体、或いは、（ii）前記収納装置に収納すべき前記可搬型記録媒体、に対応した前記媒体識別情報と対応付けられた前記スペース識別情報を少なくとも含む制御信号を前記収納装置に送信し、当該可搬型記録媒体に対応する収納スペースを収納装置にて報知させる収納装置制御手段と、を備えた可搬型記録媒体管理装置と、
を具備することを特徴とする可搬型記録媒体管理システム。
【請求項９】
可搬型記録媒体を収納するための収納スペースが複数設けられた収納装置において前記各収納スペースに収納された可搬型記録媒体をコンピュータにより管理するための可搬型記録媒体管理プログラムであって、
前記コンピュータを、
前記各収納スペースを一意に特定するためのスペース識別情報と前記可搬型記録媒体を一意に特定するための媒体識別情報を対応付けて記録媒体に記録させる登録手段、
前記可搬型記録媒体から前記媒体識別情報を読み出すと共に当該媒体識別情報が前記記録媒体に記録済みか否かを判定する判定手段、
当該媒体識別情報が未記録であるものと判定された場合に、当該媒体識別情報を前記記録媒体に未記録の前記スペース識別情報と対応付けて前記登録手段に記録させる管理手段、
（i）前記収納装置から取り出すべき前記可搬型記録媒体、或いは、（ii）前記収納装置に収納すべき前記可搬型記録媒体、に対応した前記媒体識別情報と対応付けられた前記スペース識別情報を少なくとも含む制御信号を前記収納装置に送信し、当該可搬型記録媒体に対応する収納スペースを収納装置にて報知させる収納装置制御手段、
として機能させることを特徴とする可搬型記録媒体管理プログラム。
【発明の詳細な説明】
【技術分野】
【０００１】
本発明は、ユーザの保有する光ディスク等の可搬型記録媒体を管理するための技術に関する。
【背景技術】
【０００２】
従来から複数枚の光ディスク（例えば、ＣＤ（Compact Disc）やＤＶＤ）を収納することができる各種のケースが提供されており、ユーザは所定事項を記載したラベルを光ディスクに貼り、或いは、光ディスクに印刷する等の方法により、所望のデータが記録された光ディスクを管理、判別している状況にある。しかしながら、かかる方法はユーザにとって決して利便性の高いものであると言うことはできなかった。かかる観点から最近では光ディスクを収納するための収納装置とＰＣ（Personal Computer）をＵＳＢ（Universal Serial Bus）接続し、当該収納装置内に格納された光ディスクをＰＣにより管理する機能が設けられたディスク管理システムも提供されるようになっている（例えば、非特許文献１）。
【非特許文献１】“DiscStakka”、［online］、イメーション株式会社、［平成17年5月13日検索］、インターネット〈URL:http://www.imation.co.jp/products/pc_hard/disc_stakka/index.html〉
【発明の開示】
【発明が解決しようとする課題】
【０００３】
ところで、上記従来のディスク管理システムにおいては、新規の光ディスクを収納装置に収納する際に、当該光ディスクの種別（すなわち、ＤＶＤ-ＲＯＭなのかＤＶＤ-Ｒなのか等）や当該光ディスクのタイトルといった情報をユーザがＰＣに手入力する必要があり、ユーザの利便性を向上させることが困難となっていた。
【０００４】
本願は、以上説明した事情に鑑みてなされたものであり、その課題の一例としては、ユーザの保有する光ディスクを管理する際におけるユーザの利便性を向上させることが可能な可搬型記録媒体管理装置、可搬型記録媒体管理システム及び可搬型記録媒体管理プログラムを提供することを目的とする。
【課題を解決するための手段】
【０００５】
上述した課題を解決するため本願の一つの観点において請求項１に記載の可搬型記録媒体管理装置は、可搬型記録媒体を収納するための収納スペースが複数設けられた収納装置において前記各収納スペースに収納された可搬型記録媒体を管理するための可搬型記録媒体管理装置であって、前記各収納スペースを一意に特定するためのスペース識別情報と前記可搬型記録媒体を一意に特定するための媒体識別情報を対応付けて登録する登録手段と、前記可搬型記録媒体から前記媒体識別情報を読み出すと共に当該媒体識別情報が前記登録手段に登録済みか否かを判定する判定手段と、当該媒体識別情報が未登録であるものと判定された場合に、当該媒体識別情報を前記登録手段に未登録の前記スペース識別情報と対応付けて前記登録手段に登録させる管理手段と、i）前記収納装置から取り出すべき前記可搬型記録媒体、或いは、（ii）前記収納装置に収納すべき前記可搬型記録媒体、に対応した前記媒体識別情報と対応付けられた前記スペース識別情報を少なくとも含む制御信号を前記収納装置に送信し、当該可搬型記録媒体に対応する収納スペースを収納装置にて報知させる収納装置制御手段と、を具備することを特徴とする。
【０００６】
また、本願の他の観点において請求項８に記載の可搬型記録媒体管理システムは、可搬型記録媒体を収納するための収納スペースが複数設けられた収納手段と、外部から供給される制御信号に基づいてユーザの所望する可搬型記録媒体に対応した前記収納スペースを報知する報知手段と、を備えた収納装置と、前記各収納スペースを一意に特定するためのスペース識別情報と前記可搬型記録媒体を一意に特定するための媒体識別情報を対応付けて登録する登録手段と、前記可搬型記録媒体から前記媒体識別情報を読み出すと共に当該媒体識別情報が前記登録手段に登録済みか否かを判定する判定手段と、当該媒体識別情報が未登録であるものと判定された場合に当該媒体識別情報を前記登録手段に未登録の前記スペース識別情報と対応付けて前記登録手段に登録させる管理手段と、（i）前記収納装置から取り出すべき前記可搬型記録媒体、或いは、（ii）前記収納装置に収納すべき前記可搬型記録媒体、に対応した前記媒体識別情報と対応付けられた前記スペース識別情報を少なくとも含む制御信号を前記収納装置に送信し、当該可搬型記録媒体に対応する収納スペースを収納装置にて報知させる収納装置制御手段と、を備えた可搬型記録媒体管理装置と、を具備することを特徴とする。
【０００７】
更に、本願の他の観点において、請求項９に記載の可搬型記録媒体管理プログラムは、可搬型記録媒体を収納するための収納スペースが複数設けられた収納装置において前記各収納スペースに収納された可搬型記録媒体をコンピュータにより管理するための可搬型記録媒体管理プログラムであって、前記コンピュータを、前記各収納スペースを一意に特定するためのスペース識別情報と前記可搬型記録媒体を一意に特定するための媒体識別情報を対応付けて記録媒体に記録させる登録手段、前記可搬型記録媒体から前記媒体識別情報を読み出すと共に当該媒体識別情報が前記記録媒体に記録済みか否かを判定する判定手段、当該媒体識別情報が未記録であるものと判定された場合に、当該媒体識別情報を前記記録媒体に未記録の前記スペース識別情報と対応付けて前記登録手段に記録させる管理手段、（i）前記収納装置から取り出すべき前記可搬型記録媒体、或いは、（ii）前記収納装置に収納すべき前記可搬型記録媒体、に対応した前記媒体識別情報と対応付けられた前記スペース識別情報を少なくとも含む制御信号を前記収納装置に送信し、当該可搬型記録媒体に対応する収納スペースを収納装置にて報知させる収納装置制御手段、として機能させることを特徴とする。
【発明を実施するための最良の形態】
【０００８】
［１］実施形態
［１．１］実施形態の構成
以下、本実施形態にかかるディスク管理システムＳ（以下、「システムＳ」と略称）の構成を示す図１を参照しつつ本願の実施の形態について説明する。まず、同図に示すように本実施形態にかかるシステムＳは、ＣＤやＤＶＤ、ＢＤ（ブルーレイディスク）等の光ディスクＤＫを複数収納するための収納装置ＳＭと、光ディスクレコーダＲ（以下、「レコーダＲ」と略称）と、このレコーダＲに接続されたモニタＭＮと、を有している。このシステムＳにおいては光ディスクＤＫに記録された各種コンテンツに対応したデータ（以下、「コンテンツデータ」という）がレコーダＲにより再生されると共に、地上アナログ放送等の各種放送フォーマットに従って放送される放送波がレコーダＲにより受信され、放送番組に対応したコンテンツデータが光ディスクＤＫに記録される。
【０００９】
ここで、本実施形態に特徴的な事項として、このシステムＳにおいては、収納装置ＳＭ内に収納されている光ディスクＤＫを管理するための情報をレコーダＲに保有させるようになっており、当該情報を用いることにより大別して、次の２つの機能が実現される。
＜機能１＞ユーザが記録再生対象となる光ディスクＤＫを収納装置ＳＭ内から取り出す際に、その取り出すべき光ディスクＤＫをユーザに報知する機能。
＜機能２＞光ディスクＤＫに対するコンテンツデータの記録再生後、レコーダＲから光ディスクＤＫをイジェクトして当該光ディスクＤＫを収納装置ＳＭに収納しようとする際に、当該光ディスクＤＫを収納すべき場所をユーザに報知する機能。
【００１０】
以下、かかる機能を実現するための各要素について説明する。
【００１１】
まず、収納装置ＳＭは、光ディスクＤＫを収納するための装置であり、通信部１１と、ディスク有無検出部１２と、報知部１３と、制御部１４と、各要素間を電気的に接続するバス１５とを有し、これらの要素が所定構造を有する筐体内部に配設された構成となっている。図２に、この筐体の外観形状の一例を示す。
【００１２】
同図に示す例の場合、筐体１００には、開口部１０１が設けられており、この開口部１０１の上面部及び下面部には複数のガイド溝１０２-ｋ（k=1,2,・・・,n）が設けられている。各ガイド溝１０２-ｋの幅は、例えば、I型、II型、或いは、III型のジュエルケースの厚み外寸よりも所定値（例えば、0.5mm）大きく設定されていると共に、開口部１０１のガイド溝１０２-ｋ部分における奥行き方向及び高さ方向の内寸は、夫々、上記ジュエルケースの縦方向及び横方向の外寸より所定値大きく設定されている。この結果、開口部１０１に設けられた一組の各ガイド溝１０２-ｋにより形成されるスペースＳ-ｋ内に一つのジュエルケースが収納可能とされている。なお、各ガイド溝１０２-ｋにより形成されるスペースＳ-ｋには当該スペースＳ-ｋを一意に特定するためのラック番号（特許請求の範囲における「スペース識別情報」は、例えば、このラック番号に対応）が割り当てられており、このラック番号により各スペースＳ-ｋが管理されるようになっている。
【００１３】
また、各ガイド溝１０２-ｋには光ディスクＤＫ（より具体的には、ジュエルケース内に収容された光ディスクＤＫ）が収納されているか否かを検出するためのセンサが設けられると共に、各センサはディスク有無検出部１２に電気的に接続されている。一方、このディスク有無検出部１２は、センサから供給される信号に基づき各スペースＳ-ｋ内に光ディスクＤＫが収納されているか否かを検出するための要素となっており、収納状態に変化が生じると当該変化の内容（すなわち、光ディスクＤＫの取り出し、及び、収納）を示す検出信号を制御部１４に出力する。
【００１４】
一方、筐体１００の開口面における開口部１０１の下側の面１０３（すなわち、筐体１００の底板におけるの木口面部分）には、各ガイド溝１０２-ｋと対応付けて（i）当該溝１０２-ｋにより形成されるスペースＳ-ｋに割り当てられたラック番号が表記されると共に、（ii）各ラック番号と一対一に対応付けてＬＥＤ（発光ダイオード）１０４-ｋが配設されている。これらのＬＥＤ１０４-ｋは、報知部１３と電気的に接続されており、報知部１３から供給される駆動信号に応じて点灯及び消灯の切換えが行われることとなる。
【００１５】
なお、面１０３に対してＬＥＤ１０４-ｋを配設する手法については任意である。例えば、筐体１００を天板、底板、裏板及び２枚の側板により構成する場合、底板を２枚の面材及び芯材により中空構造（所謂、フラッシュ構造）として構成すると共に、底板の木口面にＬＥＤ１０４-ｋを埋め込み、その上から木口面を覆う形態でラック番号の表記された透明板をはめ込むようにしても良い。
【００１６】
一方、この筐体１００の内部に設けられた通信部１１は、例えば、ＩｒＤＡやＢｌｕｅＴｏｏｔｈ（登録商標）、ＲＳ-２３２Ｃ等の無線或いは有線の通信Ｉ／Ｆにより構成され、レコーダＲとの間のデータの授受を仲介するために用いられる。
【００１７】
次いで、制御部１４は、主としてＣＰＵ（Central Processing Unit）により構成され、収納装置ＳＭの各部を電気的に制御する。例えば、制御部１４は、ディスク有無検出部１２から供給される検出信号に基づき、光ディスクＤＫが取り出された旨の信号（以下、「ディスク取出信号」という）、或いは、光ディスクＤＫが収納された旨の信号（以下、「ディスク収納信号」という。）をレコーダＲに送信する。
【００１８】
また、制御部１４はレコーダＲから供給される制御信号に基づいて報知部１３を制御し、ＬＥＤ１０４-ｋの点灯及び消灯を制御する。この際、制御部１４は、当該制御信号に付加されたラック番号に基づいて点灯させるべきＬＥＤ１０４-ｋを特定する。例えば、（i）収納装置ＳＭから取り出そうとする光ディスクＤＫをユーザが指定した場合、当該光ディスクＤＫが収納されているスペースＳ-ｋに対応したラック番号を付加した制御信号がレコーダＲから供給され、制御部１４は当該ラック番号に基づいて点灯させるべきＬＥＤ１０４-ｋを特定する。また、（ii）レコーダＲから光ディスクＤＫをイジェクトした際にも同様にレコーダＲから当該ラック番号を付加した制御信号が供給されるようになっており、制御部１４は、当該制御信号に基づいて点灯させるＬＥＤ１０４-ｋを特定する。この結果、（i）取出対象となる光ディスクＤＫの収納スペースＳ-ｋがユーザに報知され、或いは、（ii）光ディスクＤＫを収納すべきスペースＳ-ｋがユーザに報知されることとなる。なお、この収納装置ＳＭに対する電源の供給方法については任意であり、例えば、収納装置ＳＭに電池を載置するためのボックスを設け、このボックス内に載置された電池から必要な電力を供給するようにしても良い。
【００１９】
次に、レコーダＲは、例えば、ＣＤ、ＤＶＤ及びＢＤ（ブルーレイディスク）等の各記録フォーマットに従って、光ディスクＤＫに対するデータの記録及び再生を行うための装置である。
【００２０】
このレコーダＲを構成する放送受信部２１は、地上アナログ放送等のアナログ放送用のチューナや地上デジタル放送等のデジタル放送用のチューナを搭載しており、システム制御部２６による制御の下、アンテナＡＴを介して放送波を受信して当該放送波に対応した受信信号をレコーダ部２２に供給する。レコーダ部２２は、ＣＤ、ＤＶＤ及びＢＤの各記録フォーマットに対応した光ディスクＤＫに対するデータの記録及び再生を行う。例えば、レコーダ部２２は、放送受信部２１から供給される受信信号に信号処理を施して得られる当該コンテンツデータを光ディスクＤＫに記録させる一方、再生対象の光ディスクＤＫに記録されたコンテンツデータを読み出し、信号処理を施して映像信号出力端子Ｔ１および音声信号出力端子Ｔ２を介してモニタＭＮに出力する。
【００２１】
ＥＰＧデータ処理部２３は、システム制御部２６による制御の下、放送受信部２１から供給される信号に含まれるＥＰＧデータを抽出し、この抽出したＥＰＧデータを図示せぬメモリに記録すると共に、当該ＥＰＧデータに基づいて番組表の表示処理を実行し、モニタＭＮに番組表を表示させる。なお、ＥＰＧデータとは放送番組の番組表を表示するためのデータであり、（ａ）地上アナログ放送においては放送帯域の空き領域を用いて放送され、（ｂ）デジタル放送においては放送波に含まれるトランスポートストリーム中のＳＩ（Service Information）情報に盛り込まれて放送されるものとなっている。
【００２２】
外部機器Ｉ／Ｆ部２４は、レコーダＲと収納装置ＳＭの間のデータの授受を仲介する一方、操作部２５は、例えば、リモコン装置や操作パネル等から構成され、ユーザの入力操作を受け付けて当該操作に対応した信号をシステム制御部２６に供給する。
【００２３】
システム制御部２６は、主としてＣＰＵやＲＯＭ（Read Only Memory）、ＲＡＭ（Random Access Memory）により構成され、ＲＯＭに記録されている制御情報や制御プログラムを利用することでレコーダＲの全体的な機能を統括的に制御する。例えば、このシステム制御部２６は、レコーダ部２２を制御して光ディスクＤＫに対するデータの記録及び再生を行わせると共に、ＥＰＧデータ処理部２３を制御して放送波に含まれているＥＰＧデータの抽出及び記録を行わせる。
【００２４】
また、本実施形態に特徴的な事項として、このシステム制御部２６は、収納装置ＳＭ内に収納されている光ディスクＤＫを管理すると共に、収納装置ＳＭに対する光ディスクＤＫの収納及び取り出しに際して収納装置ＳＭに制御信号を供給し、ＬＥＤ１０４-ｋの点灯及び消灯を制御する。かかる機能を実現するため本実施形態においてディスク管理テーブル記録部２７には、ディスク管理テーブルＴＢＬが記録されており、システム制御部２６は、このテーブルＴＢＬに格納された各種情報を用いることにより収納装置ＳＭ内の各光ディスクＤＫを管理する。
【００２５】
図３に、このディスク管理テーブルＴＢＬの記録内容の一例を示す。同図に示すように、このディスク管理テーブルＴＢＬには収納装置ＳＭの各スペースＳ-ｋに割り当てられたラック番号が格納されるようになっている。また、各ラック番号には、（i）当該ラック番号に対応したスペースＳ-ｋ内に収納された光ディスクＤＫを一意に識別するための識別情報（以下、「ディスク識別情報」という）や、（ii）当該ディスクＤＫのディスク種別を示す種別情報、及び（iii）当該ディスクＤＫに記録済みのコンテンツデータの属性を示すコンテンツ属性情報（図３の場合、番組タイトル、ジャンル及び時間数）を格納するためのフィールドが対応付けられている。なお、ディスク識別情報として如何なる情報を用いるかについては任意であり、例えば、光ディスクＤＫのリードインエリアのエンドセクタ番号やＢＣＡ（Burst Cutting Area）データを用いるようにしても良い。
【００２６】
実際に収納装置ＳＭから光ディスクＤＫを取り出そうとする場合、システム制御部２６は、このディスク管理テーブルＴＢＬに格納された各種情報に基づき収納装置ＳＭに収納中の光ディスクＤＫの一覧をモニタＭＮに表示させるようになっている。そして、当該一覧に基づきユーザが選択した光ディスクＤＫのスペースＳ-ｋに対応したラック番号を制御信号に付加して収納装置ＳＭに送信するのである。この結果、収納装置ＳＭにおいて、対応するＬＥＤ１０４-ｋが点灯し、当該光ディスクＤＫのスペースＳ-ｋがユーザに報知されることとなる。これに対して光ディスクＤＫがレコーダＲからイジェクトされた場合、システム制御部２６は、当該光ディスクＤＫに対応したラック番号をディスク管理テーブルＴＢＬに基づいて特定すると共に、当該特定されたラック番号を付加した制御信号を収納装置ＳＭに送信し、対応するＬＥＤ１０４-ｋを点灯させて当該光ディスクＤＫを収納すべきスペースＳ-ｋをユーザに報知する。
【００２７】
また、このディスク管理テーブルＴＢＬには、各ラック番号と対応付けて（iv）当該光ディスクＤＫが収納装置ＳＭ内に収納された状態にあるか否かを召す収納状態フラグＦ１（具体的には、Ｆ１＝”１”で収納状態、Ｆ１＝”０”で非収納状態）と、（v）当該光ディスクＤＫがレコーダＲに挿入された状態にあるか否かを示す挿入状態フラグＦ２（具体的には、Ｆ２＝”１”で挿入状態、Ｆ２＝”０”で非挿入状態）と、を格納するためのフィールドが設けられている。これらのフラグＦ１及びＦ２は、システム制御部２６がリスト表示を行う際に、各ディスクＤＫの収納状態や挿入状態をリストに表示するために用いられる。
【００２８】
［１．２］実施形態の動作
次に、上記構成を有する本実施形態にかかるシステムＳの動作について説明する。なお、以下においては、（Ａ）ディスク管理テーブルＴＢＬに対する各種情報の登録及び更新を行うための処理、（Ｂ）収納装置ＳＭに収納された光ディスクＤＫを選択して取り出す際の動作、（Ｃ）レコーダＲから光ディスクＤＫをイジェクトして収納装置ＳＭに収納する際の動作、の順に説明を行うこととする。
【００２９】
（Ａ）ディスク管理テーブルＴＢＬを更新する際の動作
まず、ディスク管理テーブルＴＢＬを更新する際の動作について説明することとする。このディスク管理テーブルＴＢＬの更新タイミングとしては、（Ａ-１）ディスク管理テーブルＴＢＬに未登録の光ディスクＤＫ（すなわち、新規な光ディスクＤＫ）が挿入される可能性があるレコーダＲに対する光ディスクＤＫの挿入時、及び、（Ａ-２）光ディスクＤＫに新規なコンテンツデータが記録される放送番組の録画時が挙げられる。また、（Ａ-３）未登録の光ディスクＤＫが収納装置ＳＭに収納された場合についても当該光ディスクＤＫに関する情報を如何に取り扱うかが問題となる。更に、（Ａ-４）レコーダＲにおける光ディスクＤＫの選択を経ずに突然ユーザが光ディスクＤＫを取り出した場合に関しても当該取り出した状態を光ディスクＤＫのリスト表示に反映させるためには、ディスク管理テーブルＴＢＬの更新が必要となる。かかる観点から本実施形態においては上記各事象の発生時にディスク管理テーブルＴＢＬの更新処理を実行することとした。以下、各事象発生時における動作について順を追って説明する。
【００３０】
（Ａ-１）レコーダＲに対する光ディスクＤＫの挿入時
まず、本実施形態にかかるシステムＳにおいてレコーダＲに光ディスクＤＫが挿入された際の動作について、図４を参照しつつ説明する。なお、図４は光ディスクＤＫが挿入された場合にレコーダＲのシステム制御部２６が実行する処理を示すフローチャートである。まず、レコーダＲの電源がＯＮの状態において、ユーザがレコーダＲに光ディスクＤＫを挿入すると、レコーダ部２２からシステム制御部２６に光ディスクＤＫの挿入が検出された旨の信号が供給され、システム制御部２６において図４に示す処理が開始される。
【００３１】
この処理において、システム制御部２６は、まず、レコーダ部２２に対して制御信号を供給してディスク識別情報の読み出しを行わせ（ステップＳａ１）、ディスク管理テーブルＴＢＬ内に当該ディスク識別情報と同一の識別情報が格納されているか否かを判定する状態となる（ステップＳａ２）。そして、システム制御部２６は、この判定において、「ｙｅｓ」と判定すると、当該ディスク識別情報と対応づけてディスク管理テーブルＴＢＬに格納された挿入状態フラグＦ２を”１”に変更して（ステップＳａ１６）、処理を終了する。
【００３２】
これに対して、このステップＳａ２において「ｎｏ」と判定すると、例えば、「new discが挿入されました。登録しますか。」等の文字列と「ｙｅｓ」、「ｎｏ」なる２つのアイコンをモニタＭＮに表示させる（ステップＳａ３）。この状態において、ユーザが何れかのアイコンを選択する旨の入力操作を行うと、システム制御部２６は、当該選択されたアイコンが「ｙｅｓ」であるか否かを判定し（ステップＳａ４）、「ｎｏ」と判定すると、当該挿入された光ディスクＤＫの登録を行うことなく処理を終了する。
【００３３】
一方、ステップＳａ４にて「ｙｅｓ」と判定すると、システム制御部２６は、収納装置ＳＭ内に空きスペースＳ-ｋが存在するか否かを判定する状態となり（ステップＳａ５）、このステップＳａ５において、「ｎｏ」と判定した場合、処理を終了し、「ｙｅｓ」と判定すると、ステップＳａ６〜Ｓａ１５に示す、光ディスクＤＫの登録処理を実行する。
【００３４】
この登録処理において、システム制御部２６は、まず、レコーダ部２２に挿入された光ディスクＤＫの種別を特定した後（ステップＳａ６）、空きスペースＳ-ｋのラック番号に対応付けられたフィールド内にディスク識別情報と種別情報を格納して（ステップＳａ７）、当該光ディスクＤＫがＲＯＭ型の光ディスク（例えば、ＤＶＤ-ＲＯＭ）ＤＫであるか否かを判定する状態に移行する（ステップＳａ８）。この判定において「ｙｅｓ」と判定した場合、システム制御部２６は、光ディスクＤＫ内に記録されているコンテンツのタイトルとジャンルをレコーダ部２２に読み出させ、当該読み出されたタイトル等をディスク管理テーブルＴＢＬに格納した後（ステップＳａ１５）、収納状態フラグＦ１を”０”、挿入状態フラグＦ２を”１”に設定し（ステップＳａ１４）、処理を終了する。
【００３５】
一方、ステップＳａ８において「ｎｏ」と判定した場合、当該光ディスクＤＫ内に既にデータが記録されているか否かを判定する状態となり（ステップＳａ９）、この判定にて「ｎｏ」と判定するとディスク管理テーブルＴＢＬのコンテンツ属性情報の格納フィールド内にコンテンツ未記録を示す情報（例えば、「no title」）を格納した後（ステップＳａ１３）、ステップＳａ１４を実行して両フラグＦ１及びＦ２の値を設定して、処理を終了する。
【００３６】
これに対して、ステップＳａ９において、「ｙｅｓ」と判定すると、システム制御部２６は、当該コンテンツに対応したタイトルやジャンルが光ディスクＤＫに記録されているか否かを判定する状態となり（ステップＳａ１０）、「ｙｅｓ」と判定するとコンテンツ属性情報の格納フィールド内に当該タイトル等を登録する一方（ステップＳａ１１）、「ｎｏ」と判定すると当該フィールド内にタイトル名等が未登録であることを示す情報を格納する（ステップＳａ１２）。このようにして、コンテンツ属性情報の格納が終了すると、システム制御部２６は、ステップＳａ１４にて両フラグＦ１及びＦ２の値を設定して、処理を終了する。
【００３７】
以上の処理が行われることにより、新規の光ディスクＤＫの挿入時には当該光ディスクＤＫに対応した各種の情報がディスク管理テーブルＴＢＬに格納されて、当該光ディスクＤＫの登録が行われる一方、登録済みの光ディスクＤＫが挿入された場合には、その旨がディスク管理テーブルＴＢＬに反映されることとなる。
【００３８】
（Ａ-２）放送番組の録画時
次に、放送番組録画時におけるディスク管理テーブルＴＢＬの更新処理について図５を参照しつつ説明する。なお、この図５は、録画予約されている日時の到来、或いは、レコーダＲの操作部２５に対する放送番組の録画指示、をトリガとしてシステム制御部２６が実行する処理を示すフローチャートである。
【００３９】
この処理において、レコーダＲのシステム制御部２６は、まず、記録対象となる放送番組のタイトルと、ジャンルを取得する（ステップＳｂ１）。なお、この際、システム制御部２６が如何なる方法にて放送コンテンツのタイトル等を取得するかは任意であり、例えば、ＥＰＧデータから記録日時やチャネルに基づいて記録対象となるコンテンツのタイトル等を抽出するようにしても良い。また、デジタル放送の場合、放送波にタイトル等を示すメタデータが含まれているため、このメタデータから記録対象コンテンツのタイトル等を取得するようにしても良い。
【００４０】
次いで、システム制御部２６は、レコーダ部２２を制御してコンテンツデータの記録を開始させた後（ステップＳｂ２）、コンテンツデータの記録終了を待機する状態となる（ステップＳｂ３「ｎｏ」）。この状態においてユーザが操作部２５に記録を終了する旨の入力操作を行い、或いは、録画予約されている録画終了日時が到来すると、ステップＳｂ３における判定が「ｙｅｓ」に変化し、システム制御部２６は、ディスク管理テーブルＴＢＬにおいて挿入状態フラグＦ２＝”１”となっているフィールドを特定する（ステップＳｂ４）。そして、システム制御部２６は、録画時間数を算出した後（ステップＳｂ５）、当該時間数とステップＳｂ１において取得したタイトル名等をディスク管理テーブルＴＢＬに格納して（ステップＳｂ６）、処理を終了する。この際、システム制御部２６は、ステップＳｂ４にて特定されたフィールドと対応付けられたフィールド内にタイトル等のコンテンツ属性情報を格納する。
【００４１】
かかる一連の処理がコンテンツデータの記録時に実行されることにより、光ディスクＤＫに追記されたコンテンツデータのタイトル名等がディスク管理テーブルＴＢＬに格納され、当該追記されたコンテンツデータのタイトル等を上記リストに反映させることが可能となる。
【００４２】
（Ａ-３）ユーザが収納装置ＳＭに光ディスクＤＫを突然収納した場合
次に、レコーダＲからイジェクトされた光ディスクＤＫ以外の光ディスクＤＫをユーザが突然、収納装置ＳＭに収納した場合（この場合、未知の光ディスクＤＫが収納装置ＳＭに収納される可能性がある）の動作について図６を参照しつつ説明する。まず、光ディスクＤＫが収納装置ＳＭの空きスペース内に収納されると、収納装置ＳＭのディスク有無検出部１２において光ディスクＤＫの収納が検出され、ディスク有無検出部１２から制御部１４にディスクの挿入が検出された旨を示す検出信号が出力される。
【００４３】
一方、この検出信号が供給されると収納装置ＳＭの制御部１４は、光ディスクＤＫが新たに挿入された空きスペースＳ-ｋのラック番号を特定した後（ステップＳｃ１）、レコーダＲと通信可能な状態となるのを待機する状態となる（ステップＳｃ２「ｎｏ」）。その後、ユーザがレコーダＲの電源を投入し、レコーダＲが通信可能な状態に移行すると、収納装置ＳＭの制御部１４は、ステップＳｃ２において「ｙｅｓ」と判定してレコーダＲに上述したディスク収納信号を送信して（ステップＳｃ３）、処理を終了する。この際、制御部１４は、当該ディスク収納信号に対して光ディスクＤＫの収納が検出されたスペースＳ-ｋのラック番号を付加して送信する。
【００４４】
一方、このディスク収納信号が外部機器Ｉ／Ｆ部２４により受信されると、レコーダＲのシステム制御部２６は、当該信号に付加されているラック番号を抽出し（ステップＳｃ４）、ディスク管理テーブルＴＢＬの当該ラック番号と対応するフィールド内にディスク識別情報が格納されているか否かを判定する状態となる（ステップＳｃ５）。この判定において、「ｙｅｓ」と判定した場合、当該スペースＳ-ｋ内に元々収納されていた光ディスクＤＫが元に戻されたものと想定されるため、システム制御部２６は、ディスク管理テーブルＴＢＬに格納された収納状態フラグＦ１を”１”に変更して（ステップＳｃ６）、処理を終了する。
【００４５】
これに対して、「ｎｏ」と判定された場合、新規な光ディスクＤＫが収納されたものと想定されるため、システム制御部２６は、表示処理を実行し（ステップＳｃ７）、例えば、「unknownディスクが収納装置ＳＭの○○番に収納されたことが検出されました。新しいディスクですか？」等の文字列と共に「ｙｅｓ」、「ｎｏ」なるボタンを表示させて、ユーザの入力操作を待機する状態に移行する（ステップＳｃ８「ｎｏ」）。この状態においてユーザがレコーダＲの操作部２５に何れかのボタンを選択する旨の入力操作を行うと（ステップＳｃ８「ｙｅｓ」）、システム制御部２６は、当該選択されたボタンが「ｙｅｓ」であったか否かを判定する状態に移行する（ステップＳｃ９）。そして、この判定にて「ｙｅｓ」と判定した場合（すなわち、ユーザが新規の光ディスクＤＫを収納している場合）、システム制御部２６は、ディスク管理テーブルＴＢＬの当該ラック番号に対応するフィールドに対して「unknown disc」なる情報を格納して（ステップＳｃ１０）、処理を終了する。
【００４６】
これに対して、「ｎｏ」と判定した場合（すなわち、当該光ディスクＤＫが登録済みのものである場合）、システム制御部２６はディスク管理テーブルＴＢＬに格納された情報に基づいて表示処理を実行し（ステップＳ１１）、収納済み光ディスクＤＫの一覧と共に「収納された光ディスクＤＫはどのディスクですか。」等の文字列を表示させた後、ユーザの入力を待機する状態となる（ステップＳｃ１２「ｎｏ」）。そして、この状態においてユーザが何れかの光ディスクＤＫを選択する旨の入力操作を行うと、システム制御部２６は、当該選択された光ディスクＤＫに対応するラック番号と、収納装置ＳＭから送信されたラック番号を入れ替えて（ステップＳｃ１３）、処理を終了する。また、この際、当該光ディスクＤＫに対応する収納状態フラグＦ１が”０”である場合、当該フラグＦ１の値を”１”に変更する。
【００４７】
かかる一連の処理が実行されることにより、ユーザが未登録の光ディスクＤＫを突然、収納装置ＳＭに収納した場合であっても、当該光ディスクＤＫを「unknown disc」として扱い、収納装置ＳＭ内に収納された光ディスクＤＫを適切に管理することが可能となる。また、ユーザが、間違ったスペースＳ-ｋ内に光ディスクＤＫを収納した場合でも当該スペースＳ-ｋ内に収納された光ディスクＤＫをユーザに選択させ、この選択結果をディスク管理テーブルＴＢＬに反映させることが可能となるため、光ディスクＤＫの管理の適正化を図ることが可能となる。
【００４８】
（Ａ-４）取出対象の選択を経ずに光ディスクＤＫが取り出された場合
次に、取出対象となる光ディスクＤＫをレコーダＲにおいて選択することなく、ユーザが収納装置ＳＭから光ディスクＤＫを取り出した際の動作について図７を参照しつつ説明する。まず、取出対象となる光ディスクＤＫを選択することなく収納装置ＳＭに収納されている光ディスクＤＫが取り出されると、収納装置ＳＭのディスク有無検出部１２において光ディスクＤＫの取り出しが検出され、ディスク有無検出部１２から制御部１４に光ディスクＤＫの取り出しが検出された旨を示す検出信号が出力される。
【００４９】
このようにして、検出信号が制御部１４に供給されると、制御部１４は、光ディスクＤＫの取り出されたスペースＳ-ｋのラック番号を特定した後（ステップＳｄ１）、レコーダＲと通信可能な状態に移行するのを待機する状態となり（ステップＳｄ２「ｎｏ」）、レコーダＲが通信可能な状態になった時点で（ステップＳｄ２「ｙｅｓ」）、ラック番号を付加したディスク取出信号をレコーダＲに送信して（ステップＳｄ３）、処理を終了する。
【００５０】
一方、このディスク取出信号が外部機器Ｉ／Ｆ部２４に受信されると、レコーダＲのシステム制御部２６は、当該信号に付加されているラック番号を抽出し（ステップＳｄ４）、当該ラック番号と対応付けてディスク管理テーブルＴＢＬに格納された収納状態フラグＦ１を”１”から”０”に変更して（ステップＳｄ５）、処理を終了する。
【００５１】
この結果、ユーザが勝手に光ディスクＤＫを収納装置ＳＭから取り出したような場合にも、収納状態フラグＦ１を更新することが可能となり、どの光ディスクＤＫが収納中であるのかをリスト表示時に反映させることが可能となる。
【００５２】
（Ｂ）収納装置ＳＭに収納された光ディスクＤＫを選択して取り出す際の動作
次に、光ディスクＤＫのリスト中から光ディスクＤＫを選択し、当該光ディスクＤＫを取り出す際の動作について図８を参照しつつ説明する。まず、取出対象となる光ディスクＤＫをレコーダＲにおいて指定すべく、ユーザがレコーダＲの操作部２５に所定の入力操作を行うと、レコーダＲのシステム制御部２６は、ディスク管理テーブルＴＢＬに基づいて表示処理を実行し（ステップＳｅ１）、ユーザの入力操作を待機する状態に移行する（ステップＳｅ２「ｎｏ」）。
【００５３】
この際、モニタＭＮに表示される画像の一例を図９に示す。同図に示すように、この際、モニタＭＮには、（i）収納装置ＳＭにおけるラック番号毎に当該番号に対応したスペースＳ-ｋ内に収納されている光ディスクＤＫのディスク種別と、（ii）当該光ディスクＤＫ内に記録されているコンテンツデータのタイトルやジャンル、記録時間数等のリストと共に、「収納装置ＳＭから取り出すディスクを選択してください」等の文字列が表示されることとなる。また、この際、システム制御部２６は、ディスク管理テーブルＴＢＬに格納されたフラグＦ１及びＦ２に基づいて、収納装置ＳＭから取出済みの光ディスクＤＫ及びレコーダＲに挿入中の光ディスクＤＫを特定し、各光ディスクＤＫの収納状態と、挿入状態を示すアイコンを表示させる。
【００５４】
この状態において、ユーザが操作部２５に自身の取り出そうとする光ディスクＤＫを選択する旨の入力を行うと（ステップＳｅ２「ｙｅｓ」）、システム制御部２６は、当該選択された光ディスクＤＫに対応する収納状態フラグＦ１を読み出した後、当該収納状態フラグＦ１に基づいてユーザの選択した光ディスクＤＫが取り出し済みであるか否かを判定する（ステップＳｅ３）。そして、この判定にて「ｙｅｓ」と判定すると、システム制御部２６は、取り出し済みである旨の文字列を表示して（ステップＳｅ１７）、処理を終了する。
【００５５】
これに対して、このステップＳｅ３において「ｎｏ」と判定すると、システム制御部２６は、当該選択された光ディスクＤＫに対応するラック番号をディスク管理テーブルＴＢＬから読み出して、当該ラック番号を付加した制御信号を収納装置ＳＭに送信して（ステップＳｅ４）、収納装置ＳＭからのデータ受信を待機する状態となる（ステップＳｅ５「ｎｏ」）。
【００５６】
一方、この制御信号が収納装置ＳＭの通信部１１に受信されると、制御部１４は、当該受信した制御信号からラック番号を抽出し（ステップＳｅ６）、この抽出されたラック番号に対応したＬＥＤ１０４-ｋを点灯させた後（ステップＳｅ７）、光ディスクＤＫの取り出しを待機する状態に移行する（ステップＳｅ８「ｎｏ」）。その後、ユーザが収納装置ＳＭから光ディスクＤＫを取り出すと、ディスク有無検出部１２において光ディスクＤＫの取り出しが検出され、ディスク有無検出部１２から制御部１４にディスクの取り出しが検出された旨を示す検出信号が出力される。そして、この検出信号が入力されると、ステップＳｅ８における判定が「ｙｅｓ」に変化し、制御部１４は、光ディスクＤＫが取り出されたラック番号を検出し（ステップＳｅ９）、当該ラック番号を付加したディスク取出信号をレコーダＲに送信した後（ステップＳｅ１０）、ＬＥＤ１０４-ｋを消灯させて（ステップＳｅ１１）、処理を終了する。
【００５７】
一方、収納装置ＳＭからディスク取出信号が送信されてくるとレコーダＲのシステム制御部２６においては、ステップＳｅ５における判定が「ｙｅｓ」となり、当該信号に付加されたラック番号が抽出される（ステップＳｅ１２）。そして、システム制御部２６は、当該ラック番号とユーザにより選択された光ディスクＤＫに対応したラック番号とが一致するか否かを判定する状態となり（ステップＳｅ１３）、一致している場合には（「ｙｅｓ」）、当該光ディスクＤＫに対応した収納状態フラグＦ１を”０”に変更して（ステップＳｅ１６）、処理を終了する。
【００５８】
これに対して、両者が一致していない場合（「ｎｏ」）、システム制御部２６は、表示処理を実行して（ステップＳｅ１４）、例えば、「取り出された光ディスクが間違っていましたので、当該取り出された光ディスクに関する情報を更新しました。」等の文字列と共に、「確認」なるボタンを表示させ、ユーザの入力操作を待機する状態となる（ステップＳｅ１５「ｎｏ」）。そして、ユーザが、操作部２５に「確認」ボタンを選択する旨の入力操作を行うと、システム制御部２６は、収納装置ＳＭから送信されたラック番号と対応付けて格納された収納状態フラグＦ１を”０”に変更した後（ステップＳｅ１６）、処理を終了する。
【００５９】
以上の処理が実行される結果、収納装置ＳＭから光ディスクＤＫを取り出す際に、レコーダＲにおいてユーザが選択した光ディスクＤＫの収納スペースＳ-ｋに対応したＬＥＤ１０４-ｋが点灯され、当該光ディスクＤＫがどのスペースＳ-ｋ内に収納されているのかがユーザに報知されることとなる。また、ユーザが間違って、光ディスクＤＫを取り出した場合にも、当該取り出された光ディスクＤＫに対応する収納状態フラグＦ１が更新され、ディスク管理テーブルＴＢＬに反映されることとなる。
【００６０】
（Ｃ）レコーダＲから光ディスクＤＫをイジェクトした際の動作
次に、レコーダＲに挿入されている光ディスクＤＫをイジェクトして収納装置ＳＭに収納する際の動作について図１０を参照しつつ説明する。まず、ユーザがレコーダＲの操作部２５に対して光ディスクＤＫをイジェクトする旨の入力操作を行うと、システム制御部２６は、レコーダ部２２を制御して光ディスクＤＫをイジェクトさせ（ステップＳｆ１）、当該光ディスクＤＫに対応するラック番号をディスク管理テーブルＴＢＬから読み出した後（ステップＳｆ２）、当該ラック番号と対応付けて格納されている挿入状態フラグＦ２を”０”に変更する（ステップＳｆ３）。次いで、システム制御部２６は、当該ラック番号を付加した制御信号を収納装置ＳＭに送信し（ステップＳｆ４）、収納装置ＳＭからのデータ受信を待機する状態となる（ステップＳｆ５「ｎｏ」）。
【００６１】
一方、この制御信号が収納装置ＳＭの通信部１１に受信されると、制御部１４は、当該受信した制御信号からラック番号を抽出し（ステップＳｆ６）、当該ラック番号に対応したＬＥＤ１０４-ｋを点灯させた後（ステップＳｆ７）、光ディスクＤＫの収納を待機する状態に移行する（ステップＳｆ８「ｎｏ」）。その後、ユーザが収納装置ＳＭに光ディスクＤＫを収納するとディスク有無検出部１２において光ディスクＤＫの収納が検出され、制御部１４にディスクの収納が検出された旨を示す検出信号が出力される。制御部１４は、この検出信号が入力されると、ステップＳｆ８において「ｙｅｓ」と判定し、光ディスクＤＫが収納されたスペースＳ-ｋのラック番号を検出し（ステップＳｆ９）、当該ラック番号を付加した制御信号をレコーダＲに送信した後（ステップＳｆ１０）、報知部１３に制御信号を出力し（ステップＳｆ１１）、ＬＥＤ１０４-ｋを消灯させて処理を終了する。
【００６２】
一方、収納装置ＳＭから制御信号が送信されてくるとレコーダＲのシステム制御部２６においては、ステップＳｆ５における判定が「ｙｅｓ」となり、当該制御信号に付加されたラック番号が抽出される（ステップＳｆ１２）。そして、システム制御部２６は、当該ラック番号とレコーダＲからイジェクトされた光ディスクＤＫに対応するラック番号とが一致するか否かを判定する状態となり（ステップＳｆ１３）、一致している場合には（「ｙｅｓ」）、当該光ディスクＤＫに対応した収納状態フラグＦ１を”１”に変更して（ステップＳｆ１４）、処理を終了する。
【００６３】
これに対して、両者が一致していない場合（「ｎｏ」）、システム制御部２６は、収納装置ＳＭから送信されたラック番号に基づいてディスク管理テーブルＴＢＬを更新して（ステップＳｆ１５）、処理を終了する。この際、システム制御部２６は、ディスク管理テーブルＴＢＬにおいて当該光ディスクＤＫに対応するラック番号と、収納装置ＳＭから送信されてきたラック番号を入れ替えると共に、当該光ディスクＤＫに対応する収納状態フラグＦ１を”１”に変更する。
【００６４】
以上の処理が実行されることによって、レコーダＲからイジェクトされた光ディスクＤＫを収納すべきスペースＳ-ｋがユーザに報知されると共に、もし、ユーザが誤ったスペースＳ-ｋに光ディスクＤＫを収納した場合であっても当該収納後のスペースＳ-ｋに応じてディスク管理テーブルＴＢＬが更新されるため、確実にどの光ディスクＤＫがどのスペースＳ-ｋ内に格納されているのかを管理することが可能となる。
【００６５】
このようにして本実施形態にかかるシステムＳにおいては、ラック番号とディスク識別情報が対応付けて格納されたディスク管理テーブルＴＢＬをレコーダＲに保有させると共に、レコーダＲは、光ディスクＤＫから読み出されたディスク識別情報が当該テーブルＴＢＬ内に格納済みか否かを判定すると共に当該ディスク識別情報が格納されていない場合には新規の光ディスクＤＫとして新たにラック番号と対応付けてディスク管理テーブルＴＢＬに格納する構成となっている。また、かかる手法により更新されたディスク管理テーブルＴＢＬに基づいてレコーダＲが（i）収納装置ＳＭから取り出すべき光ディスクＤＫ、或いは、（ii）収納装置ＳＭに収納すべき光ディスクＤＫ、に対応したラック番号を付加した制御信号を収納装置ＳＭに送信し、収納装置ＳＭは、この制御信号に基づいて当該光ディスクＤＫに対応する収納スペースＳ-ｋを報知するようになっている。
【００６６】
この構成により、各光ディスクＤＫに対して自動的に収納スペースＳ-ｋが割り当てられ、当該スペースＳ-ｋに対応するラック番号とディスク識別情報が対応付けてディスク管理テーブルＴＢＬに格納されると共に、このテーブルＴＢＬに基づいて収納装置ＳＭにおいて光ディスクＤＫの収納スペースＳ-ｋが報知されることとなるため、ユーザの保有する光ディスクを管理する際におけるユーザの利便性を向上させることが可能となる。
【００６７】
なお、本実施形態においては、レコーダＲにより収納装置ＳＭを制御した構成を採用したが、例えば、ＰＣのように光ディスクＤＫに対するデータの記録及び再生を行う機能を有するものに、本実施形態にかかるレコーダＲと同様の機能を保有させることも可能である。
【００６８】
また、本実施形態においては、可搬型記録媒体として光ディスクＤＫを管理する場合を例に説明を行ったが、例えば、フラッシュメモリのような可搬型の記録媒体を管理する場合にも同様の手法を採用することが可能である。
【００６９】
また更に、本実施形態においては、放送番組に対応したコンテンツデータを光ディスクＤＫに記録する場合を例に説明を行ったが、コンテンツデータの取得元に関しては任意であり、例えば、インターネット等の通信ネットワークを介してコンテンツデータを取得するようにしても良い。
【００７０】
更に、本実施形態においては、レコーダ部２２に光ディスクＤＫに対するデータの記録及び再生を行う機能のみを保有させた構成としたが、これと併せて、ハードディスクドライブを設け、このハードディスクに対するデータの記録及び再生を行うようにしても良い。この場合、ディスク管理テーブル記録部２７は、このハードディスクにより代替するようにしても良い。
【００７１】
更にまた、上記実施形態においては、ディスク管理テーブルＴＢＬにコンテンツ属性情報として、タイトルとジャンル、時間数を格納する構成を採用していたが、例えば、ユーザのコメントを示すテキストのような各種の情報を併せて格納する構成としても良い。
【００７２】
また、上記実施形態においては、光ディスクＤＫをジュエルケース内に収納した状態で、収納装置ＳＭに収納する構成を採用していたが、ジュエルケースに収納することなく、光ディスクＤＫ単体で収納装置ＳＭ内に収納する構成としても良い。
【００７３】
また更に、上記実施形態においては、収納装置ＳＭの外観構成例として、図２のようなものを示していたが、例えば、開口部１０１に扉を設けて開閉可能な構成としても良く、或いは、縦置き式の筐体構造としても良い。
【００７４】
更に、上記実施形態においては、収納装置ＳＭにＬＥＤ１０４-ｋを設け、レコーダＲから供給される制御信号に応じて、このＬＥＤ１０４-ｋを点灯させる構成としていた。しかし、例えば、当該制御信号に含まれるラック番号に基づいて音声にて、スペースＳ-ｋを報知するようにしても良い。また、例えば、ガイド溝１０２-ｋにストッパを設け、レコーダＲから供給される制御信号に応じて、このストッパを開閉する構成としても良い。この場合、ガイド溝１０２-ｋに光ディスクＤＫを収納装置ＳＭから押し出す方向に付勢するバネを設け、ストッパの開閉に併せて、光ディスクＤＫが一定量だけ飛び出すように構成することも可能である。
【００７５】
更にまた、上記実施形態においては、レコーダＲを用いて収納装置ＳＭ内の光ディスクＤＫを管理する方法を採用していたが、コンピュータと、当該機能を実現するための処理動作を規定するプログラムが記録された記録媒体と、それを読み取るコンピュータと、を備え、このコンピュータで当該プログラムを読み込むことによって上述と同様の機能を実現するようにしても良い。
【００７６】
［１．３］実施形態の変形例
上記実施形態においては、１台のレコーダＲを用いて、１台の収納装置ＳＭ内に収納される光ディスクＤＫを管理する構成を採用していた。しかし、（態様１）１台のレコーダＲにより複数台の収納装置ＳＭを管理し、或いは、（態様２）１台の収納装置ＳＭを複数台のレコーダＲにより管理する構成とすることも可能である。
【００７７】
例えば、上記態様１の場合、どの収納装置ＳＭ内に、どの光ディスクＤＫが収納されているのかを特定する必要があるため、レコーダＲにおいて各収納装置ＳＭを識別することが必要となる。このため、この態様１を実現しようとする場合、各収納装置ＳＭに対して各装置ＳＭを識別するための装置識別情報を付与し、ディスク管理テーブルＴＢＬ内に、この装置識別情報を格納するためのフィールドを設ける。そして、装置識別情報とラック番号に基づき、レコーダＲのシステム制御部２６が各収納装置ＳＭを識別するようにすれば良い。
【００７８】
また、上記態様２を実現しようとする場合、１台の収納装置ＳＭ内に収納されている光ディスクＤＫを各レコーダＲにおいて管理可能とすることが必要となる。かかる方法としては、各レコーダＲ間においてディスク管理テーブルＴＢＬを共有せずに別個に管理する方法もあるが、この方法では各レコーダＲにおいて、別個にスペースＳ-ｋの割り振りが行われてしまい、収納装置ＳＭ内の、どのスペースＳ-ｋが空き状態にあるのかが、他のレコーダＲにおいて把握できなくなってしまう。このため、各レコーダＲ間において、ディスク管理テーブルＴＢＬに格納されるデータを共有することが望ましい。かかる共有の方法としては、何れかのレコーダＲにおいてディスク管理テーブルＴＢＬが更新された際に、当該他のレコーダＲに対して、更新後のディスク管理テーブルＴＢＬを送信する構成としても良い。但し、この場合、一部のレコーダＲが電源ＯＦＦの状態にあることも想定されるため、他のレコーダＲから送信された信号に基づいて一時的に電源をＯＮにさせる構成を採用することが必要となる。
【００７９】
更に、他の態様としては、（態様３）複数台の収納装置ＳＭを複数台のレコーダＲにより管理する構成とすることも可能である。なお、この場合、上記態様１を実現するための機能と、態様２を実現するための機能と、を併せてレコーダＲ及び収納装置ＳＭに保有させることが必要となる。
【００８０】
このようにして、本変形例によれば、レコーダＲと収納装置ＳＭの関係が１対１でないような態様においても光ディスクＤＫの管理が可能となり、システムＳの拡張性を向上させることが可能となる。
【図面の簡単な説明】
【００８１】
【図１】実施形態にかかるディスク管理システムＳの構成を示すブロック図である。
【図２】同実施形態にかかる収納装置ＳＭの筐体１００の外観形状の一例を示す図である。
【図３】同実施形態にかかるディスク管理テーブルＴＢＬの記録内容の一例を示す図である。
【図４】同実施形態においてレコーダＲに光ディスクＤＫが挿入された際にシステム制御部２６が実行する処理を示すフローチャートである。
【図５】同実施形態において、放送番組の録画時にレコーダＲのシステム制御部２６が実行する処理を示すフローチャートである。
【図６】同実施形態において、レコーダＲからイジェクトされた光ディスクＤＫ以外の光ディスクＤＫを収納装置ＳＭに収納した際にディスク管理システムＳにおいて実行される処理を示すシーケンスチャートである。
【図７】同実施形態において、取出対象となる光ディスクＤＫをレコーダＲにおいて選択することなく、ユーザが収納装置ＳＭから光ディスクＤＫを取り出した際にディスク管理システムＳにおいて実行される処理を示すシーケンスチャートである。
【図８】同実施形態において、光ディスクＤＫのリスト中から光ディスクＤＫを選択し、当該光ディスクＤＫを取り出す際にディスク管理システムＳにおいて実行される処理を示すシーケンスチャートである。
【図９】同実施形態において、モニタＭＮに表示される画像の一例を示す図である。
【図１０】同実施形態において、レコーダＲに挿入されている光ディスクＤＫをイジェクトして収納装置ＳＭに収納する際にディスク管理システムＳにおいて実行される処理を示すシーケンスチャートである。
【符号の説明】
【００８２】
Ｒ・・・レコーダ
ＳＭ・・・収納装置ＳＭ
ＭＮ・・・モニタ
【図１】
2006331548.tif 000003
【図２】
2006331548.tif 000004
【図３】
2006331548.tif 000005
【図４】
2006331548.tif 000006
【図５】
2006331548.tif 000007
【図６】
2006331548.tif 000008
【図７】
2006331548.tif 000009
【図８】
2006331548.tif 000010
【図９】
2006331548.tif 000011
【図１０】
2006331548.tif 000012